(57)【要約】【課題】  異音の発生が防止されさらに容器の耐圧性能が保証された車両の人員拘束装置用ガス発生器の提供。【解決手段】  ガス排出口に至る経路の閉塞部材を破壊するための金属製のロッド24は、根本部26と筒状壁35の間に環状弾性材60が介在されている。このため、車両の走行時に加えられる振動により、根本部26と筒状壁35がぶつかっても異音が発生することがない。【選択図】  図２
2007112152.tif 000002
【特許請求の範囲】
【請求項１】
２つの開口部を有する筒状ハウジングと、前記筒状ハウジングの１つの開口部に接続された点火手段室と、前記筒状ハウジングの他の開口部に接続された、ガス排出口を有するディフューザ部とを有しており、
前記筒状ハウジングと前記点火手段室の間が第１閉塞手段で閉塞され、前記筒状ハウジングと前記ディフューザ部との間が第２閉塞手段で閉塞され、前記筒状ハウジング内には加圧ガスが充填されており、
前記筒状ハウジング内には、作動時において第２閉塞手段を破壊してディフューザ部への通路を開放するための金属製のロッドが、根本部が第１閉塞手段近傍の金属壁面に接触した状態で配置されており、
前記接触部分には、前記根本部と前記第１閉塞手段近傍の金属壁面の両方から押圧されるように弾性材が介在されている、車両の人員拘束装置用ガス発生器。
【請求項２】
前記点火手段室の外殻が点火手段室ハウジングにより形成されており、前記点火手段室ハウジングが、前記筒状ハウジング内に突出して形成された筒状壁を有しており、前記筒状壁と前記ロッド根本部が接触している、請求項１記載の車両の人員拘束装置用ガス発生器。
【請求項３】
前記筒状壁が第２閉塞手段側に拡がるような傾斜が付けられている、請求項２記載の車両の人員拘束装置用ガス発生器。
【請求項４】
前記筒状壁の内表面及び前記ロッド根本部の外表面の少なくとも一方が弾性材を有している、請求項２又は３記載の車両の人員拘束装置用ガス発生器。
【請求項５】
前記ロッド根本部の弾性材表面に突起が設けられている、請求項４記載の車両の人員拘束装置用ガス発生器。
【請求項６】
前記筒状ハウジングと前記ロッド根本部が接触しており、前記筒状ハウジングの内表面及び前記ロッド根本部の外表面の少なくとも一方が弾性材を有している、請求項１記載の車両の人員拘束装置用ガス発生器。
【請求項７】
前記ロッド根本部が弾性材で形成されている、請求項１記載の車両の人員拘束装置用ガス発生器。
【請求項８】
前記弾性材が、ゴム、樹脂又はエラストマーである、請求項１〜７のいずれかに記載の車両の人員拘束装置用ガス発生器。
【請求項９】
２つの開口部を有する筒状ハウジングと、前記筒状ハウジングの１つの開口部に接続された点火手段室と、前記筒状ハウジングの他の開口部に接続された、ガス排出口を有するディフューザ部とを有しており、
前記筒状ハウジングと前記点火手段室の間が第１閉塞手段で閉塞され、前記筒状ハウジングと前記ディフューザ部との間が第２閉塞手段で閉塞され、前記筒状ハウジング内の第１ガス充填空間には加圧ガスが充填されており、
前記筒状ハウジング内には、作動時において第２閉塞手段を破壊してディフューザ部への通路を開放するための金属製のロッドが、根本部が第１閉塞手段近傍の金属壁面に接触した状態で配置されており、
前記第１閉塞手段と前記ロッド根本部の間には第２ガス充填空間が存在しており、前記第１ガス充填空間と前記第２ガス充填空間が前記ロッド根本部に設けられた連通孔により連通されている、車両の人員拘束装置用ガス発生器。
【請求項１０】
前記ロッド根元部が略平板状部材であり、前記連通孔が前記略平板状部材に形成された貫通孔である、請求項９記載の車両の人員拘束装置用ガス発生器
【請求項１１】
前記ロッド根元部が略平板状部材であり、前記連通孔が前記略平板状部材と前記金属壁面との間に形成された隙間である、請求項９記載の車両の人員拘束装置用ガス発生器
【請求項１２】
前記根本部と前記金属壁面の接触部分には、前記根本部と前記金属壁面の両方から押圧されるように弾性材が介在されている、請求項９〜１１のいずれかに記載の車両の人員拘束装置用ガス発生器。
【発明の詳細な説明】
【技術分野】
【０００１】
本発明は、エアバッグ、インフレータブルベルト、歩行者保護装置等の車両の人員拘束装置に使用するガス発生器に関する。
【背景技術】
【０００２】
車両乗員拘束装置や歩行者保護装置においてエアバッグ等の人員拘束装置を膨張させるガス発生器では、ガス排出口にエアバッグを接続するため、ガス排出口近傍にバッグ接続に障害となる着火用リードワイヤが接続される点火器等が存在しない構造が好ましい。
【０００３】
特許文献１の発明では、加圧ガスを用いたインフレータであり、点火器とガス排出口が離れたものが開示されている。加圧ガスを使用するガス発生器では、ガス排出口を閉塞するために閉塞手段となる破裂板を使用するが、作動時にはこの破裂板を開裂させて、ガス排出経路を開放する必要がある。特許文献１では、点火手段の作動で発生する高温高圧のガスで作動させたロッドにより、破裂板を開裂させる構造が採用されている。
【０００４】
特許文献１の発明では、加圧ガスを収容したインフレータ容器１２の一端に、スクイブ４４が取り付けられている。スクイブ４４は、ハウジング１２の一端部に形成された燃焼室１６の更に一端部分に取り付けられ、ハウジング１２の内部に嵌入した状態で配置されている。燃焼室１６には、更にスクイブ４４の作動によって発火し、高温・高圧のガスを発生するガス発生剤３４が配置されており、ロッド７４を右に押すことで破裂板となるシール８０を開裂させる。ロッドはカップシール６０に取り付けられ、カップシール６０が燃焼室１６の壁１８に嵌合され、溶接６８で固定されている。燃焼室１６内のチャージ３４の燃焼によって発生したガスで、カップシール６０の壁６２とスカート６４の間で破裂する。
【特許文献１】USP 3,856,180明細書
【発明の開示】
【発明が解決しようとする課題】
【０００５】
特許文献１の発明の構造では、ロッド７４のカップシール６０側は、溶接６８によって確実に固定されているため、外部の振動でカップシール等ががたつき、異音がするということは無い。しかしながら、溶接６８による固定であるから、溶接条件を厳密に管理しないと、作動時に溶接部分６８で開裂したり（溶接が弱いとき）、壁６２とスカート６４の接合部で開裂したりして、製品によって性能にばらつきが生じ、作動再現性が低くなるおそれもある。
【０００６】
さらにカップシール６０によって加圧ガス収容室と燃焼室１６が区画され、ガス充填圧に相当する圧力がカップシール６０にかかっているため、ロッド７４を移動させるには、それ以上の圧力を燃焼室１６内で発生させる必要がある。
【０００７】
本発明は、点火器とガス排出口が離れた位置に設けられ、ガス排出口に至るガス排出経路の閉塞手段をロッドで破壊する構造のガス発生器であり、ロッドの固定が簡単で、ロッドのがたつきによる異音の発生が防止され、また容器の耐圧性が保障された信頼性の高いガス発生器を提供することを課題とする。
【課題を解決するための手段】
【０００８】
本発明は、課題の解決手段として、
２つの開口部を有する筒状ハウジングと、前記筒状ハウジングの１つの開口部に接続された点火手段室と、前記筒状ハウジングの他の開口部に接続された、ガス排出口を有するディフューザ部とを有しており、
前記筒状ハウジングと前記点火手段室の間が第１閉塞手段で閉塞され、前記筒状ハウジングと前記ディフューザ部との間が第２閉塞手段で閉塞され、前記筒状ハウジング内には加圧ガスが充填されており、
前記筒状ハウジング内には、作動時において第２閉塞手段を破壊してディフューザ部への通路を開放するための金属製のロッドが、根本部が第１閉塞手段近傍の金属壁面に接触した状態で配置されており、
前記接触部分には、前記根本部と前記第１閉塞手段近傍の金属壁面の両方から押圧されるように弾性材が介在されている、車両の人員拘束装置用ガス発生器を提供する。
【０００９】
本発明のガス発生器の作動時においては、第１閉塞手段が点火手段による圧力や衝撃波により破壊され、前記圧力や衝撃波を受けたロッドが飛び出して第２閉塞手段に衝突することにより第２閉塞手段が破壊されて、ガス排出口に至るガス排出経路が開放される結果、エアバッグが膨張される。このような動作は、乗員の安全確保の観点から、車両の耐用年数である１０年以上にわたって確実に行われる必要があるが、自動車走行に伴い外部から加えられる振動により、ロッドががたついて異音が発生すると、作動の確実性には影響を与えない場合であっても、乗員に不快感や不安感を与えることになるため好ましくない。
【００１０】
そこで、ロッド根本部と第１閉塞手段近傍の金属壁面との接触部分に弾性体を介在させるとき、ロッド根本部と金属壁面の両方から押圧されるように弾性材を介在させることにより、弾性材は、ロッド根本部と金属壁面の隙間をぴったりと塞ぐように変形する（場合により、弾性材の一部が削り取られる）。また、弾性材は、元の形状（変形前の形状）に復元させようとする力を生じさせるものでもよい。
【００１１】
このため、外部振動によるロッドのがたつきが防止され、異音の発生も防止される。また、このように弾性材を介在させることにより、金属同士を嵌め合わせたような場合に比べると、作動時においてロッド根本部が第１閉塞手段近傍の金属壁面から外れやすくなり、ロッドの飛び出しも円滑に行われる。
【００１２】
弾性材は、ロッド根本部表面に形成する場合、金属壁面に形成する場合、ロッド根本部表面と金属壁面の両方に形成する場合、ロッド根本部と金属表面の間に挟み込む場合のいずれの形態で介在されていてもよい。
【００１３】
弾性材は、体積弾性を有するものが好ましく、ゴム（天然ゴム、合成ゴム）、樹脂（天然樹脂、合成樹脂）又はエラストマーからなるものを用いることができる。また、弾性材の形状は制限されないが、体積弾性が発現されやすくする観点から、厚さは２ｍｍ以上であることが好ましい。なお、物理的に弾性を示す材質でなくとも、前記接触部分でロッド根本部又は金属壁面から押圧されることで、異音の発生を防止できるものであれば、本発明の弾性材に含まれる。
【００１４】
ロッドは、均一径又は部分的に径の異なる棒状のものであり、ロッド根本部は、他の部分と同形状のものでもよいし、他の部分とは異なるもの、例えば端部に設けられたフランジ部でもよい。
【００１５】
本発明のガス発生器では、ロッド根本部の反対端部であるロッド先端部を保持して、作動前のずれ等を防止するため、第２閉塞手段の近傍にロッド先端部を保持するためのリテーナを配置することができる。
【００１６】
本発明は、課題の他の解決手段として、前記点火手段室の外殻が点火手段室ハウジングにより形成されており、前記点火手段室ハウジングが、前記筒状ハウジング内に突出して形成された筒状壁を有しており、前記筒状壁と前記ロッド根本部が接触している、請求項１記載の車両の人員拘束装置用ガス発生器を提供する。
【００１７】
筒状壁は、第２閉塞手段側に向かって開口されたものである。このような筒状壁を点火手段室ハウジングに設けて利用することで、ロッド根本部の固定作業が容易になる。
【００１８】
本発明は、課題の他の解決手段として、前記筒状壁が第２閉塞手段側に拡がるような傾斜が付けられている、請求項２記載の車両の人員拘束装置用ガス発生器を提供する。
【００１９】
このような筒状壁を用いると、開口部が大きくなるため、ロッド根本部の嵌め込み作業が容易になるほか、作動時におけるロッドの飛び出しも容易になる。
【００２０】
本発明は、課題の他の解決手段として、前記筒状壁の内表面及び前記ロッド根本部の外表面の少なくとも一方が弾性材を有している、請求項２又は３記載の車両の人員拘束装置用ガス発生器を提供する。
【００２１】
弾性材は、筒状壁の内表面及びロッド根本部の外表面の少なくとも一方に設けられていればよく、両方に設けられていてもよい。
【００２２】
本発明は、課題の他の解決手段として、前記ロッド根本部の弾性材表面に突起が設けられている、請求項４記載の車両の人員拘束装置用ガス発生器を提供する。
【００２３】
弾性材に設けられた突起が押し潰されるように変形することで、弾性材による作用効果がより高められるので好ましい。
【００２４】
本発明は、課題の他の解決手段として、前記筒状ハウジングと前記ロッド根本部が接触しており、前記筒状ハウジングの内表面及び前記ロッド根本部の外表面の少なくとも一方が弾性材を有している、請求項１記載の車両の人員拘束装置用ガス発生器を提供する。
【００２５】
弾性材は、筒状ハウジングの内表面及びロッド根本部の外表面の少なくとも一方に設けられていれば良く、両方に設けられていてもよい。
【００２６】
本発明は、課題の他の解決手段として、前記ロッド根本部が弾性材で形成されている、請求項１記載の車両の人員拘束装置用ガス発生器を提供する。
【００２７】
本発明は、課題の解決手段として、
２つの開口部を有する筒状ハウジングと、前記筒状ハウジングの１つの開口部に接続された点火手段室と、前記筒状ハウジングの他の開口部に接続された、ガス排出口を有するディフューザ部とを有しており、
前記筒状ハウジングと前記点火手段室の間が第１閉塞手段で閉塞され、前記筒状ハウジングと前記ディフューザ部との間が第２閉塞手段で閉塞され、前記筒状ハウジング内の第１ガス充填空間には加圧ガスが充填されており、
前記筒状ハウジング内には、作動時において第２閉塞手段を破壊してディフューザ部への通路を開放するための金属製のロッドが、根本部が第１閉塞手段近傍の金属壁面に接触した状態で配置されており、
前記第１閉塞手段と前記ロッド根本部の間には第２ガス充填空間が存在しており、前記第１ガス充填空間と前記第２ガス充填空間が前記ロッド根本部に設けられた連通孔により連通されている、車両の人員拘束装置用ガス発生器を提供する。
【００２８】
本発明のガス発生器では、ロッド根本部が連通孔を有し、この連通孔により第１ガス充填空間と第２ガス充填空間が連通されているため、いずれの空間にも同一圧力の加圧ガスが充填されており、ロッド全体が同一の充填圧力下におかれている。このため、作動時においてロッドの移動が容易になる。
【００２９】
また、加圧ガスを使用するガス発生器では、加圧ガスの密封を確実に行うため、ガス発生器の各部分の耐圧評価をする必要がある。本発明のガス発生器では、第１ガス充填空間と第２ガス充填空間に加圧ガスが充填されるものであるため、筒状ハウジング、第１閉塞手段及び第２閉塞手段が、充填ガス圧に対して十分な耐圧性能を有するかどうかを評価するときに、全てに同一圧力が加えられた状態となっているから、ガス発生器全体の耐圧性評価を一度で行うことができる。
【００３０】
上記発明の車両の人員拘束装置用ガス発生器は、前記ロッド根元部が略平板状部材であり、前記連通孔が前記略平板状部材に形成された貫通孔であるもの、又は前記ロッド根元部が略平板状部材であり、前記連通孔が前記略平板状部材と前記金属壁面との間に形成された隙間であるものにすることができる。
【００３１】
連通孔は、ガス充填時において、第１ガス充填空間から充填したガスを第２ガス充填空間に移動させる役目をするものであるから、高圧充填されたガスが移動できる程度の径の大きさでよい。よって、点火手段の作動により、短時間のうちに発生する衝撃波や圧力波で第１閉塞手段が破壊されたときには、前記衝撃波や圧力波は、実質的に連通孔を通過せずにロッド根本部に圧力を与えるように作用する。
【００３２】
上記発明の車両の人員拘束装置用ガス発生器は、前記根本部と前記金属壁面の接触部分には、前記根本部と前記金属壁面の両方から押圧されるように弾性材が介在されているものにすることができる。
【００３３】
このように弾性材を介在させることによって、外部からの振動などで根元部と金属壁面との接触するときに発生する金属音（異音）が防止できる。
【発明の効果】
【００３４】
本発明のガス発生器は、金属製のロッド根本部と第１閉塞手段近傍の金属壁面との接触部分において、ロッド根本部と金属壁面の両方から押圧されるように弾性材が介在されている。このため、車両走行時に加えられる振動により、金属部材同士がぶつかることがなく、異音が発生することが防止される。
また第１ガス充填空間と第２ガス充填空間を設け、両方の空間内に加圧ガスが充填される構造にすることにより、全体の耐圧性評価が容易になる。
【発明を実施するための最良の形態】
【００３５】
（１）図１、図２のガス発生器
図１は、エアバッグ用ガス発生器１０の縦断面図、図２は、図１の部分拡大断面図であるが、一部（筒状壁３５）の形状が異なっている。図１、図２のガス発生器は、エアバッグの膨張手段として加圧ガスを用いるストアード式のものである。
【００３６】
筒状ハウジング２０は、両端側に２つの開口部を有しており、一端側の開口部に接続された点火手段室３０と、他端側の開口部に接続されたディフューザ部４０とを有している。これらはステンレス又はアルミニウムからなるもので、それぞれの接合部において溶接固定されている。
【００３７】
筒状ハウジング２０の内部空間（第１ガス充填空間）２２内は気密に維持されており、アルゴン、ヘリウム、窒素等の単体又はそれらの混合ガスが充填（充填圧は約３５，０００〜７０，０００ｋPa）されている。加圧ガスは、０℃、１気圧（１０１．３２５ｋPa）で４００ｍ／ｓｅｃ以上の音速を有するものが好ましい。加圧ガスは、図示していないピンで閉塞する前の充填孔から第１ガス充填空間に充填した後、ピンと筒状ハウジング２０を一緒に溶接して封入される。
【００３８】
点火手段室３０は、点火手段室ハウジング３１により外殻が形成されており、本体部３２の一端開口部側には、内側段差部３３ａと外側段差部３３ｂを形成するように筒状ハウジング２０（内部空間又は第１ガス充填空間２２）内に突出して形成された筒状壁３５を有している。筒状壁３５の内周面には、開口部方向（第２閉塞手段４８の方向）に拡がるような傾斜が付けられているが、図１に示すとおり、傾斜がないものでもよい。
【００３９】
本体部３２の他端開口部側には、点火薬を備えた電気式の点火器３６が収容されている。点火器３６は、コネクタ及びリードワイヤ（いずれも図示せず）を介して車両の電源供給回路に接続される。点火器３６には、着火薬としてジルコニウムと過塩素酸カリウムを主成分とする着火薬が２６０ｍｇ含まれているものを使用している。
【００４０】
筒状ハウジング２０（内部空間又は第１ガス充填空間２２）と点火手段室３０の間の通路（本体部３２と筒状壁３５で囲まれた通路）は、ステンレス製の第１破裂板３８で閉塞分離されて第１通路３７ａ、第２通路（第２ガス充填空間）３７ｂとなっており、点火手段室３０の内部は常圧となっている。第１破裂板３８は、周縁部が内側段差部３３ａに溶接固定されている。点火手段室ハウジング３１と筒状ハウジング２０は、外側段差部３３ｂと筒状ハウジング２０との接触部において溶接固定されている。
【００４１】
点火手段室ハウジング３１内部には、点火器３６のみが配置されており、点火器３６は着火薬を含んだ作動部分を第１破裂板３８に対向させて配置している。点火器３６は、着火薬の作動により、圧力波、衝撃波を発生させる。
【００４２】
ディフューザ部４０は、ディフューザハウジング４２により外殻が形成されており、ディフューザハウジング４２には、加圧ガスを外部に排出する複数のガス排出口４６が均等配置されている。
【００４３】
筒状ハウジング２０（内部空間又は第１ガス充填空間２２）とディフューザ部４０の間の第３通路４４は、ステンレス製の第２破裂板４８で閉塞されており、ディフューザ部４０の内部は常圧となっている。第２破裂板４８は、その周縁部が、ディフューザハウジング４２に溶接固定されている。
【００４４】
筒状ハウジング２０内のディフューザ部４０に近い部分には、ロッド２４の先端部２４ａを保持するためのリテーナ５０が配置されている。リテーナ５０は、筒状ハウジング２０内に圧入され、周面と筒状ハウジング２０の内壁面２１が互いに押圧された状態で接している。
【００４５】
リテーナ５０の形状は特に制限されず、作動前において、ロッド先端部２４ａが半径方向及び軸方向に動かないようにできるものであればよい。例えば、図示するような環状形状であり、中央部にロッド先端部２４ａを差し込むための穴（ロッド先端部２４ａの半径方向へのずれを防止するように作用する）を有しているものを用いることができる。
【００４６】
ロッド２４は、先端部２４ａと反対側に円盤状の根本部２６を有しており、いずれもステンレス、アルミニウム等の金属製のものである。
【００４７】
先端部２４ａは、第２破裂板４８の中心と間隔をおいて正対している。ロッド先端部２４ａの近傍には、短いフランジ部２５が設けられており、フランジ部２５は作動前にロッド２４の軸方向（特に第２破裂板４８方向）への移動を防止するためのストッパとして作用する。
【００４８】
ロッド根本部２６は筒状壁３５内に挿入されており、根本部２６の外周面２６ａと筒状壁３５の内周面３５ａの間には、環状弾性材６０が介在されている。ロッド根本部２６には、内部空間（第１ガス充填空間）２２と第２通路（第２ガス充填空間）３７ｂとを連通する複数の連通孔２７を設けることができる。図２の実施例では、直径２ｍｍの連通孔２７が２つ形成されている。このような連通孔２７を設けることで、第２通路（第２ガス充填空間）３７ｂ内にも加圧ガスを充填することができる。
【００４９】
環状弾性部材６０が存在することで、加圧ガスは筒状壁３５の内周面３５ａとの間を通って第２通路（第２ガス充填空間）３７ｂに流れ込みにくくなるが、連通孔２７によって、第２通路（第２ガス充填空間）３７ｂにも加圧ガスが充填されるため、ロッド２４のいずれの部分も圧力的に同じ状態となり、ロッド２４の移動が円滑になされる。
【００５０】
更に筒状ハウジング内部に加圧ガスを充填するとき、第１破裂板３８及び第２破裂板４８の耐圧性能を評価する際にも、連通孔２７によって第２通路（第２ガス充填空間）３７ｂに加圧ガスが流れ込むため、内部空間（第１ガス充填空間）２２と同じ圧力が第１破裂板３８にかかり、正確な耐圧評価が可能となる。
【００５１】
製造時において、内部空間（第１ガス充填空間）２２に加圧ガスを充填する際には、筒状ハウジング２０の壁面に充填孔を形成し、そこから加圧ガスを所定量充填した後、シールピンを筒状ハウジング２０に溶接することで、充填孔を閉塞する。内部空間（第１ガス充填空間）２２に充填された加圧ガスにより、第２破裂板４８は外側に湾曲し、さらに充填ガスの一部は、連通孔２７を通って第２通路（第２ガス充填空間）３７ｂまで達し、第１破裂板３８を外側に湾曲させる。
【００５２】
また、連通孔２７に代えて、筒状壁３５と環状弾性材６０との間、又は環状弾性材６０とロッド根本部２６との間の一部に内部空間（第１ガス充填空間）２２と第２通路（第２ガス充填空間）３７ｂとを連通する間隙を設け、第２通路（第２ガス充填空間）３７ｂ内に加圧ガスが充填されるようにしてもよい。図７にその一例を示す。
【００５３】
図７に示すロッド２４は、根元部２６が、筒状壁３５の内周面３５ａと一致した形状（円形）であり、周縁の２箇所に円弧の切り欠き２８が形成されている。根元部２６の外周縁には弾性部材６０が取り付けられ、筒状壁３５の内周面３５ａとの間で接触による異音の発生を抑制する。ロッド２４（根元部２６）をハウジング２０内部（筒状壁３５）に配置したとき、切り欠き２８によって、環状壁３５との間に連通孔が形成され、これによって内部空間（第１ガス充填空間）２２と第２通路（第２ガス充填空間）３７ｂが連通される。
【００５４】
連通孔２７及び切り欠き２８は、第１ガス充填空間２２から第２ガス充填空間３７ｂへのガスの移動を確保すると共に、点火器３６の作動により、短時間のうちに発生する衝撃波や圧力波で第１閉塞手段３８が破壊されたとき、前記衝撃波や圧力波の実質的に全てが、連通孔２７又は切り欠き２８を通過することなく、ロッド根本部２６に圧力を与える程度の大きさ（直径）のものである。このような連通孔２７や切り欠き２８は、図３〜図６のガス発生器にも適用できる。
【００５５】
環状弾性材６０は、根本部２６の外周面２６ａに固着されたものでもよいし、筒状壁３５の内周面３５ａに固着されたものでもよいし、根本部２６の外周面２６ａと筒状壁３５の内周面３５ａの間に挟み込まれたものでもよい。例えば、環状弾性体６０が筒状壁３５の内周面３５ａに固着されたものであるとき、根本部２６の外径は、環状弾性体６０の内径よりも僅かに大きくなるように設定されている。環状弾性材６０は、厚さが約３〜５ｍｍの樹脂（ナイロン６、ナイロン６-１２等）からなるものである。
【００５６】
環状弾性材６０は、根本部２６の外周面２６ａと筒状壁３５の内周面３５ａの両方から押圧されているため、根本部２６の外周面２６ａと筒状壁３５の内周面３５ａの隙間をぴったりと塞ぐように変形する。また、根本部２６を筒状壁３５内に押し込むとき、環状弾性材６０の一部が削り取られることで、前記隙間が塞がれてもよい。そして、押圧状態にある環状弾性材６０は、元の形状（変形前の形状）に復元させようとする力を生じるから、根本部２６と筒状壁３５間は強く結合されることになる。
【００５７】
このため、外部振動によるロッド２４のがたつきが防止され、合わせて異音の発生も防止される。また、このように環状弾性材６０を介在させることにより、金属同士を嵌め合わせたような場合に比べると、作動時においてロッド根本部２６が筒状壁３５から外れやすくなるため、ロッド２４の飛び出しも円滑に行われる。
【００５８】
また、図１、図２の形態では、ロッド根本部２６と環状弾性材６０を着脱自在にしておき、まず筒状壁３５に環状弾性材６０を嵌め込み（相互の径を調整して環状弾性材６０が押圧されるように押し込む方法や、筒状壁３５の内周面に径を調整した段差を設けて、そこに環状弾性材６０が押圧されるように押し込む方法を適用できる。）、次に環状弾性材６０にロッド根本部２６を嵌め込んだ後、ロッド先端部２４ａをリテーナ５０に差し込んで固定することにより、ロッド２４が先端部２４ａ側から根本部２６側に押圧されるようにすることで、ロッド根本部２６が固定されるようにしてもよい。
【００５９】
更に、図１、図２の形態では、ロッド根本部２６の外周に溝を形成し、前記溝に弾性材からなるＯリングを嵌め込み、Ｏリングを環状弾性材として機能させることもできる。
【００６０】
次に、図１、図２で示されるガス発生器１０を自動車のエアバッグシステムに組み込んだ場合の動作を説明する。なお、ガス発生器１０は、リードワイヤを引き出す点火器３６とエアバッグを取り付けるガス排出口４６が反対側に位置しているので、エアバッグの取り付け作業時にリードワイヤが邪魔になることはない。また、根本部２６の外周面２６ａと筒状壁３５の内周面３５ａの間に環状弾性材６０が介在されているので、自動車の走行時に異音が発生することがない。
【００６１】
自動車が衝突して衝撃を受けたとき、コントロールユニットからの作動信号を受け、点火器３６が作動点火して生じた衝撃波や圧力により、第１破裂板３８が破壊され、第１通路３７ａ、第２通路（第２ガス充填空間）３７ｂが開放される。第１破裂板３８を破壊した衝撃波又は圧力は、続いてロッド根本部２６に衝突して押圧する。
【００６２】
その結果、ロッド２４が軸方向に飛び出し、フランジ部２５を破壊して直進し、第２破裂板４８に衝突する。このとき、筒状壁３５に傾斜が付けられ、環状弾性材６０が介在されているため、ロッド２４の飛び出しは円滑に行われる。そして、ロッド先端部２４ａの衝突により、第２破裂板４８が破壊され、第３通路４４が開放されてガス排出口４６から加圧ガスが排出され、エアバッグを膨張させる。
【００６３】
（２）図３のガス発生器
図３は、図１、図２とは異なる形態のエアバッグ用ガス発生器１０Ａの部分拡大断面図である。図１、図２と同一番号は同じものであることを意味する。図１、図２と異なる部分のみ説明する。
【００６４】
筒状壁３５は傾斜が付けられておらず、同一内径のものである。ロッド根本部２６の外周面２６ａには環状弾性材６０が固着されている。環状弾性材６０は、半径方向に突き出した複数の突起６１を有している。複数の突起６１は、環状弾性体６０の外周面において、均等間隔で４以上が設けられている。
【００６５】
ロッド根本部２６を筒状壁３５内に押し込む前は、ロッド根本部２６の環状弾性材６０の突起６１を含む外径は、筒状壁３５の内径よりも僅かに大きくなるように設定されている。
【００６６】
ロッド根本部２６を筒状壁３５内に押し込んだとき、環状弾性材６０の突起６１が押し潰されるように、又は削り取られるように変形するため、図１のガス発生器と同様の作用がなされる。
【００６７】
（３）図４のガス発生器
図４は、図１、図２とは異なる形態のエアバッグ用ガス発生器１０Ｂの部分拡大断面図である。図１、図２と同一番号は同じものであることを意味する。図１、図２と異なる部分のみ説明する。
【００６８】
筒状壁３５は傾斜が付けられておらず、同一内径のものであり、内周面３５ａには環状弾性材６０が固着されている。ロッド根本部２６を筒状壁３５内に押し込む前は、ロッド根本部２６の外径は、筒状壁３５に固着された環状弾性材６０の内径よりも僅かに大きくなるように設定されている。
【００６９】
ロッド根本部２６を筒状壁３５の環状弾性材６０内に押し込んだとき、環状弾性材６０が外側に押し広げられるように変形するため、図１のガス発生器と同様の作用がなされる。なお、図４において、ロッド根本部２６を環状弾性材６０内に押し込み易くするために、根本部２６にテーパーを付けてもよい。
【００７０】
（４）図５のガス発生器
図５は、図１、図２とは異なる形態のエアバッグ用ガス発生器１０Ｃの部分拡大断面図である。図１、図２と同一番号は同じものであることを意味する。図１、図２と異なる部分のみ説明する。
【００７１】
点火手段室ハウジング３１は、図１〜図４のガス発生器のような筒状壁３５を有していない。点火手段室ハウジング３１近傍の筒状ハウジング２０の内壁面２１には、環状段差面２３が設けられており、環状段差面２３と点火手段室ハウジング端面３１ａとの間に環状弾性材６０が嵌め込まれている。
【００７２】
ロッド根本部２６を環状弾性材６０内に押し込む前は、ロッド根本部２６の外径は、環状弾性材６０の内径よりも僅かに大きくなるように設定されている。
【００７３】
ロッド根本部２６を環状弾性材６０内に押し込んだとき、環状弾性材６０が外側に押し広げられるように変形するため、図１のガス発生器と同様の作用がなされる。なお、図５においても、ロッド根本部２６を環状弾性材６０内に押し込み易くするために、根本部２６にテーパーを付けてもよい。
【００７４】
（５）図６のガス発生器
図６は、図１、図２とは異なる形態のエアバッグ用ガス発生器１０Ｄの部分拡大断面図である。図１、図２と同一番号は同じものであることを意味する。図１、図２と異なる部分のみ説明する。
【００７５】
円盤状のロッド根本部２６は弾性材（ナイロン６、ナイロン６-１２等）からなるものであり、根本部２６自体が図１、図２の弾性材６０と同様の作用をする。根本部２６の中心部には孔２６ｂが設けられており、ロッド２４の端面に設けられた凸部２４ｂを孔２６ｂに嵌め込むことで、ロッド２４と根本部２６が結合固定されている。
【００７６】
ロッド根本部２６を筒状壁３５内に押し込む前は、ロッド根本部２６の外径は、筒状壁３５内の内径よりも僅かに大きくなるように設定されている。
【００７７】
ロッド根本部２６を筒状壁３５内に押し込んだとき、根本部２６自体が内側に押し縮められるように変形するため、図１のガス発生器と同様の作用がなされる。
【図面の簡単な説明】
【００７８】
【図１】ガス発生器の縦断面図。
【図２】図１の部分拡大図
【図３】図１とは異なる形態の部分拡大図。
【図４】図１とは異なる形態の部分拡大図。
【図５】図１とは異なる形態の部分拡大図。
【図６】図１とは異なる形態の部分拡大図。
【図７】別形態のロッドの斜視図
【符号の説明】
【００７９】
１０、１０Ａ、１０Ｂ、１０Ｃ、１０Ｄ  エアバッグ用ガス発生器
２０  筒状ハウジング
２４  ロッド
３０  点火手段室
３１  点火手段室ハウジング
３６  点火器
３８  第１破裂板
４０  ディフューザ部
４６  ガス排出口
４８  第２破裂板
５０  リテーナ
【図１】
2007112152.tif 000003
【図２】
2007112152.tif 000004
【図３】
2007112152.tif 000005
【図４】
2007112152.tif 000006
【図５】
2007112152.tif 000007
【図６】
2007112152.tif 000008
【図７】
2007112152.tif 000009